(57)【要約】【課題】ノート型情報処理装置に装着した状態で当該ノート型情報処理装置を使用できるノート型情報処理装置用ケースで、従来の通気性、外部からの衝撃に対する保護、十分な収納量、装着時の操作性を確保し、ノート型情報処理装置を容易に取外し可能なノート型情報処理装置用ケースの提供。【解決手段】ノート型情報処理装置を被覆保護し、ノート型情報処理装置の装置本体を被覆する本体被覆部と前記蓋部を被覆する蓋被覆部とを一体に形成してなり、本体被覆部には装置本体を固定する固定帯を備え、本体被覆部は装置本体の下面を被覆する下カバーを備え、固定帯の一端は下カバーに対して着脱自在とし、下カバーの上面には装置本体の前端を被覆するポケットを備え、ポケットは、開口部の下端を下カバーの上面に取着され、且つ、ポケットの展開及び組立が可能なノート型情報処理装置用ケース。【選択図】図５
2010167127.tif 000002
【特許請求の範囲】
【請求項１】
装置本体及び装置蓋部を有するノート型情報処理装置を被覆保護し、前記ノート型情報処理装置の装置本体を被覆する本体被覆部と前記蓋部を被覆する蓋被覆部とを一体に形成してなり、本体被覆部には前記装置本体を固定するための固定帯を備え、ノート型情報処理装置に対して被覆装着した状態で当該ノート型情報処理装置を使用可能とするノート型情報処理装置用ケースにおいて、
本体被覆部は少なくとも装置本体の下面を被覆する下カバーを備え、
固定帯の少なくとも一端は下カバーに対して着脱自在とし、当該下カバーの上面にはノート型情報処理装置の装置本体の前端を被覆するポケットを備え、
前記ポケットは、開口部の下端を下カバーの上面に取着され、且つ、ポケットの展開及び組立が可能であることを特徴とするノート型情報処理装置用ケース。
【請求項２】
ポケットは、ポケット基部と該ポケット基部から連続一体となるポケット蓋部と、前記ポケット基部及びポケット蓋部の間の左右側壁を形成するポケット側壁部とを備え、
下カバーの左右側部にはポケットの固定を行うためのポケット用フラップを備え、
ポケット側壁部とポケット用フラップを雌雄の係着手段によって係脱自在としたことを特徴とする請求項１記載のノート型情報処理装置用ケース。
【請求項３】
開閉手段を有する袋体に相互に対向する二つの接続フラップを備えた付属品ケースを備え、上カバー及び下カバーの各外面を前記付属品ケースにおける二つの接続フラップで係脱自在に挟持固定したことを特徴とする請求項１又は２記載のノート型情報処理装置用ケース。
【発明の詳細な説明】
【技術分野】
【０００１】
本発明は、いわゆるノート型の情報処理装置（例えば、持ち運びに適したモバイルノート型パソコン、ポータブルＤＶＤプレーヤ、ノート型電子ゲーム機等）を外部の衝撃等から保護するためのケースに関する。
【背景技術】
【０００２】
近年、ビジネス利用や家庭利用向けに、持ち運び容易な小型のノート型の情報処理装置が普及し続けている。このような情報処理装置を持ち運び時の不慮の衝撃や磨耗等から守るため、当該情報処理装置を被覆保護する情報処理装置用ケースが広く販売されている。
【０００３】
上記情報処理装置用ケースのうち、特に利用者の便宜を図る観点から、収納される情報処理装置を使用する際に、当該情報処理装置用ケースから情報処理装置を取り外すことなく使用することができるものがある。
【０００４】
このような情報処理装置用ケースとしては、例えば、全体をクッション性のある防水生地で箱形に形成し、四側面を横断するスライドファスナーにより任意の位置で開放・閉鎖を可能とし、裏側表面に滑り防止具を設け、さらに内部の四隅のうち、少なくとも二隅にずり落ち防止具を設けたことを特徴とするパソコン携帯用バッグ（例えば、特許文献１参照。）が公知である。
【０００５】
また、情報処理装置を収納するための収納部を内部に形成したケース本体を具備するものであって、情報処理装置の周辺機器等を収納するための補助収納部を有するポケットを具備し、このポケットと前記ケース本体の外面側との間に、ポケットをケース本体に対して着脱可能に取付け得る取付部を形成するとともに、ポケットの背面側とそれに対応するケース本体の前面との間に、前記取付部によるポケットの取付状態を補助しポケットをケース本体に対して着脱するための補助取付部を形成し、該補助取付部を、ポケットの背面に設けた多数のフックからなるフック面と、このフックと係り合うようにケース本体の外面に設けた多数のループからなるループ面とによって構成される面ファスナーから構成し、さらに該補助取付部に、前記フック面に対して選択的に重なり合う目隠し部を設けていることを特徴とする情報処理装置用携帯ケース（例えば、特許文献２参照。）が公知である。
【０００６】
また、パソコンの保持を安定させるための構成を備えたケースとしては、例えば、上面開放の箱形に形成されているとともに、その上面開放部の後部側には収納状態にあるパソコンのディスプレイ部の開閉の妨げとならないようにパソコン後部を挿入し包持する袋カバーが装着されたパソコン収納用のカバン本体と、このカバン本体を吊持するための吊りベルトとを備え、上記カバン本体の左右両側部の各前端に携行時に吊りベルトの両端の掛け金がそれぞれ掛脱可能に掛止される一対の前側被掛止部を設けるとともに、上記カバン本体の左右の少なくとも一方の側部の後端には、パソコン使用時に吊りベルトの一方の掛け金を他方の掛け金に対してはすかい状に掛替えることで、パソコンを水平姿勢に吊持するとともに、その掛け金が掛替えられた側の側部にキーボード操作用スペースを形成可能とする後側被掛止部を設け、上記カバン本体には、その後部が袋カバー内に挿入包持された収納状態のパソコン本体部をディスプレイ部の開閉およびキーボード操作の妨げとならないように羽交い締めするためのストップベルトが装備されているラップトップ形パソコン携帯用カバン（例えば、特許文献３参照。）が公知である。
【先行技術文献】
【特許文献】
【０００７】
【特許文献１】特開２０００−２１７６２２号公報
【特許文献２】特許第３４６０６３７号公報
【特許文献３】実公平０７−２２０９４号公報
【発明の概要】
【発明が解決しようとする課題】
【０００８】
ところで、上記のような各情報処理装置用ケースを装着してノート型情報処理装置を使用していると、隣席への移動等の必要が生じたときに、使用した状態のまま付近の他の場所へ移動できれば便利である。また、様々な理由により、簡単にケースを情報処理装置本体から取り外す必要が生ずることがあり、このような際には、パソコン本体の転倒や落下を生じずに安全且つ簡単にケースを情報処理装置本体から取り外せることが必要である。
【０００９】
上記特許文献１に係るパソコン携帯用バッグは、バッグにパソコンを収納した状態で使用できること、及び裏側表面に滑り防止具を設けた点で膝上等から滑り落ち難い点で、一定の効果を得るものである。その一方で、パソコンを使用している際に、隣席への移動等、使用した状態のままパソコンを移動させる必要が生じたとき、内側の隅に設けるずり落ち防止具は、収納されるパソコンの前後左右へのスライドにおいて効果は奏するものの、例えば、内側の隅のうち前側二箇所のみにずり落ち防止具を設けるだけではパソコンを開いた状態での持ち運び時にはパソコンからバッグが外れ易い欠点がある。また、内側四隅にパソコンから当該パソコン携帯用バッグを装着したり取り外したりするときには、片手でパソコンを持ち上げてずり落ち防止具を強く引っ張って取り外す必要があり、取り外し操作が面倒であるだけでなく、パソコンの転倒や落下を生じかねないものであった。
【００１０】
また、特許文献２に係る情報処理装置用携帯ケースは、十分な収納量を確保するための補助収納部を有するポケットを着脱可能に備えた点に特徴を有するものである。本特許文献２に開示される発明は、情報処理装置の固定に関しては、上記特許文献１と近似した構成であり、内側の隅のうち前側二箇所のみに弾性帯を設けるだけでは、特許文献１と同様に、パソコンを開いた状態での持ち運び時にはパソコンからバッグが外れ易い欠点がある。また、橋渡し紐を設ける点でパソコンの固定をより確実にすることも考えられるが、橋渡し紐はキーボード入力等の操作を行う際には、邪魔になり易い欠点もあった。
【００１１】
特許文献３の請求項２に開示されるラップトップ型パソコン携帯用カバンは、パソコンの後部を挿入包持する袋カバーを備え、その後部が袋カバー内に挿入包持された収納状態のパソコン本体部をディスプレイ部の開閉およびキーボード操作の妨げとならないように羽交い締めするためのストップベルトが装備されている。上記特許文献１及び特許文献２と比べると、袋カバーとストップベルトの組合せは、ラップトップパソコンのみを両手で持ち上げることで携帯用カバンから取り外すことができるため、取り外し操作は容易であると考えられる。
【００１２】
しかしながら、袋カバーは使用中のパソコンの後部全体を被覆して密閉するものであるため、パソコンから発生する熱が溜まり易く、パソコンの動作不良を招来し易い欠点がある。また、近年のノート型情報処理装置は、従来のラップトップ型情報処理装置とは異なり、情報処理装置本体と画面部とを開放した状態において、特許文献３に示すような後部は有さないのが通常であり、ラップトップ型パソコン携帯用カバンの構成では、ノート型情報処理装置を装着することができないものであった。また、面ファスナーを有するストップベルトを情報処理装置の固定手段のみでは、パソコンの前後方向のズレを抑え難く、特に表面に滑らかなコーティング処理のされた近年のノート型情報処理装置においては十分に固定できない。この際に、例えば、特許文献１のずり落ち防止具や特許文献２に開示される弾性紐を利用することも可能であるが、そうすると結局、ずり落ち防止具や弾性紐の欠点である、取り外し操作が面倒であるだけでなくパソコンの転倒や落下を生じかねない点を備えたものとなる。更に、特許文献３の第４図に示すように、当該ラップトップ型パソコン携帯用カバンは、持ち運び時には外部にパソコンが大きく露呈するため、パソコン本体を十分に保護できない。
【００１３】
本発明は以上の事情に鑑みてなされたものであり、ノート型情報処理装置に装着した状態で当該ノート型情報処理装置を使用できるノート型情報処理装置用ケースにおいて、従来から求められる通気性、外部からの衝撃に対する保護、十分な収納量、使用時の操作性を確保した上で、当該ノート型情報処理装置用ケースからノート型情報処理装置を、落下させる危険性を生じず安全に、且つ容易に取り外すことができ、使い勝手のよい、優れたノート型情報処理装置用ケースの提供を、発明が解決しようとする課題とする。
【課題を解決するための手段】
【００１４】
本発明は、装置本体及び装置蓋部を有するノート型情報処理装置を被覆保護し、前記ノート型情報処理装置の装置本体を被覆する本体被覆部と前記蓋部を被覆する蓋被覆部とを一体に形成してなり、本体被覆部には前記装置本体を固定するための固定帯を備え、ノート型情報処理装置に対して被覆装着した状態で当該ノート型情報処理装置を使用可能とするノート型情報処理装置用ケースにおいて、本体被覆部は少なくとも装置本体の下面を被覆する下カバーを備え、固定帯の少なくとも一端は下カバーに対して着脱自在とし、当該下カバーの上面にはノート型情報処理装置の装置本体の前端を被覆するポケットを備え、前記ポケットは、開口部の下端を下カバーの上面に取着され、且つ、ポケットの展開及び組立が可能であることを特徴とするノート型情報処理装置用ケースを、課題を解決するための手段とする。
【発明の効果】
【００１５】
請求項１に係る発明によれば、装置本体及び装置蓋部を有するノート型情報処理装置を被覆保護し、前記ノート型情報処理装置の装置本体を被覆する本体被覆部と前記蓋部を被覆する蓋被覆部とを一体に形成してなり、本体被覆部には前記装置本体を固定するための固定帯を備え、ノート型情報処理装置に対して被覆装着した状態で当該ノート型情報処理装置を使用可能とするノート型情報処理装置用ケースにおいて、本体被覆部は少なくとも装置本体の下面を被覆する下カバーを備え、固定帯の少なくとも一端は下カバーに対して着脱自在とし、当該下カバーの上面にはノート型情報処理装置の装置本体の前端を被覆するポケットを備え、前記ポケットは、開口部の下端を下カバーの上面に取着され、且つ、ポケットの展開及び組立が可能である構成としたから、ノート型情報処理装置を装着した状態において、通気性、装着時の操作性を確保した上で、ノート型情報処理装置に外部から接続される電源用ケーブルや小物（ＵＳＢフラッシュメモリ等）を取り外して、固定帯の一端を下カバーに対して離脱させ、ポケットを展開状態とすることによって、当該ノート型情報処理装置用ケースからノート型情報処理装置を両手で持ち上げて、安全且つ簡単に、取り外すことができる。
【００１６】
また、ポケットは、組立操作性を備えているため、両手でノート型情報処理装置を当該ノート型情報処理装置用ケース上に載置してポケットの組立操作を行うことで容易に行うことができる。そして、ポケットの開口部の下端が下カバーの上面に取着されているので、展開状態から組立状態へ移行する際にポケットの位置決めを行う必要がなく、非常に簡単な操作でノート型情報処理装置を収納できる。
【００１７】
また、ポケットの開口部の下端が下カバーの上面に取着されていることによって、収納時には、不慮の衝撃を受けた際に、ノート型情報処理装置をポケットで保持した上で、ポケットが開口部の下端を基準として当該ノート型情報処理装置用カバー内で揺動することで前記衝撃を緩和し、収納対象物であるノート型情報処理装置の保護性能をより高めることができる。
【００１８】
請求項２に係る発明によれば、上記請求項１に係る発明において、ポケットは、ポケット基部と該ポケット基部から連続一体となるポケット蓋部と、前記ポケット基部及びポケット蓋部の間の左右側壁を形成するポケット側壁部とを備え、下カバーの左右側部にはポケットの固定を行うためのポケット用フラップを備え、ポケット側壁部とポケット用フラップを雌雄の係着手段によって係脱自在としたことから、ポケット用フラップをポケット側壁部から離脱させるだけで、ポケットの展開状態を簡単に実現でき、請求項１と同様に、ノート型情報処理装置の収納、取外しを、安全且つ容易に行うことができる。
【００１９】
請求項３に係る発明によれば、上記請求項１又は請求項２に係る発明の構成を前提とした上で、開閉手段を有する袋体に相互に対向する二つの接続フラップを備えた付属品ケースを備え、上カバー及び下カバーの各外面を前記付属品ケースにおける二つの接続フラップで係脱自在に挟持固定したことから、上記請求項１又は請求項２に係る発明の効果を発揮できる上に、ノート型情報処理装置に外部から接続される電源用ケーブルを含めて持ち運ぶ際には、付属品ケースを取外すことなく、付属品ケース開閉部の開閉のみで電源用ケーブルを出し入れでき、取り出した電源ケーブルをノート型情報処理装置に外部から接続できるため、非常に好適である。
また、接続フラップを係脱自在としてあるので、ノート型情報処理装置のみが必要な場合、付属品ケースを取外しておくことができ、持ち運び重量を低減できる。
【図面の簡単な説明】
【００２０】
【図１】図１は本発明の実施例に係るノート型情報処理装置用ケースを示す斜視図である。
【図２】図２は本発明の実施例に係るノート型情報処理装置用ケースの展開状態の内面側を示す斜視図である。
【図３】図３は本発明の実施例に係るノート型情報処理装置用ケースの展開状態の外面側を示す斜視図である。
【図４】図４は本発明の実施例に係るノート型情報処理装置用ケースにおけるポケット側フラップを展開し固定帯を脱着した状態を示す説明斜視図である。
【図５】図５は本発明の実施例に係るノート型情報処理装置用ケースにおけるポケットを展開状態とし固定帯を脱着した状態を示す説明斜視図である。
【図６】図６は本発明の実施例に係るノート型情報処理装置用ケースにノート型情報処理装置であるモバイルノート型パソコンを取着した状態を示す斜視図である。
【図７】図７は本発明の実施例に係るノート型情報処理装置用ケースにおける（ａ）ポケットの通常状態を示す側面説明図、（ｂ）ポケットが傾斜した状態を示す側面説明図である。
【図８】図８は本発明の実施例に係るノート型情報処理装置用ケースにノート型情報処理装置であるモバイルノート型パソコンを収納した状態を示す斜視図である。
【図９】図９は本発明の実施例に係るノート型情報処理装置用ケースに取着可能な小物収納ケースを示す斜視図である。
【図１０】図１０は本発明の実施例に係るノート型情報処理装置用ケースと小物収納ケースとを取着した状態を示す斜視図である。
【発明を実施するための形態】
【００２１】
ノート型情報処理装置に装着した状態で当該ノート型情報処理装置を使用でき、従来の通気性、外部からの衝撃に対する保護、十分な収納量、装着時の操作性を確保した上で、当該ノート型情報処理装置用ケースからノート型情報処理装置を容易に取り外せることを目的として、ノート型情報処理装置の前端を被覆するポケットとノート型情報処理装置の後端側を固定する固定帯とを設け、固定帯の少なくとも一方を下カバーと係脱可能とし、前記ポケットが下カバーから完全に外れることなく展開及び組立を可能な構成とし、ノート型情報処理装置の装着及び取外しを安全に行えるノート型情報処理装置を実現した。
【実施例】
【００２２】
図１は本発明の実施例に係るノート型情報処理装置用ケースを示す斜視図、図２は同実施例に係るノート型情報処理装置用ケースの展開状態の内面側を示す斜視図、図３は同実施例に係るノート型情報処理装置用ケースの展開状態の外面側を示す斜視図、図４は同実施例に係るノート型情報処理装置用ケースにおけるポケット側フラップを展開し固定帯を脱着した状態を示す説明斜視図、図５は同実施例に係るノート型情報処理装置用ケースにおけるポケットを展開状態とし固定帯を脱着した状態を示す説明斜視図、図６は同実施例に係るノート型情報処理装置用ケースにノート型情報処理装置Ｐであるモバイルノート型パソコンを取着した状態を示す斜視図、図７は同実施例に係るノート型情報処理装置用ケースにおける（ａ）ポケットの通常状態を示す側面説明図、（ｂ）ポケットが傾斜した状態を示す側面説明図、図８は同実施例に係るノート型情報処理装置用ケースにノート型情報処理装置Ｐであるモバイルノート型パソコンを収納した状態を示す斜視図、図９は同実施例に係るノート型情報処理装置用ケースに取着可能な小物収納ケースを示す斜視図、図１０は同実施例に係るノート型情報処理装置用ケースと小物収納ケースとを取着した状態を示す斜視図である。
【００２３】
本発明の実施例に係るノート型情報処理装置用ケース１は、ノート型情報処理装置Ｐ及び小物（例えば、ＵＳＢフラッシュメモリやＳＤメモリカード等）を収納するものである。また、実施例に係るノート型情報処理装置用ケース１は、付属品を収納するための別体の付属品ケース５を着脱自在とする係脱手段を有する。以下、各構成について詳細に説明する。
【００２４】
本実施例に係るノート型情報処理装置用ケース１は、図１に示す組立状態において、概ね長さ２０ｃｍ、幅２６ｃｍ、高さ５ｃｍ程度の大きさを有し、図２及び図３に示す展開状態のように、ノート型情報処理装置Ｐの上面を被覆する上カバー１０と、ノート型情報処理装置Ｐの背面を被覆する後カバー１１と、ノート型情報処理装置Ｐの底面を被覆する下カバー１２と、ノート型情報処理装置Ｐの前面側を被覆する前カバー１３と、前記上カバー１０上に重合するフラップ１４とを、順次連続した基本構成を有する。
【００２５】
これらの上カバー１０、後カバー１１、下カバー１２、前カバー１３、フラップ１４はいずれも、板状の芯材におけるケース内側となる片面（ケース内側面）及び側周面を合成皮革で被覆し、ケース外側となる片面（ケース外側面）にクッション材を介して合成繊維シートで被覆してある。そして、上記の上カバー１０、後カバー１１、下カバー１２、前カバー１３、フラップ１４の各間には、谷折ラインが形成される。説明上、上カバー１０と後カバー１１の間の谷折ラインを第一谷折ライン１５、後カバー１１と下カバー１２の間の谷折ラインを第二谷折ライン１６、下カバー１２と前カバー１３との間の谷折ラインを第三谷折ライン１７、前カバー１３とフラップ１４との間の谷折ラインを第四谷折ライン１８とする。
【００２６】
下カバー１２には、ノート型情報処理装置Ｐの装置基体の前端部を被覆するためのポケット３と、ノート型情報処理装置Ｐの装置基体を保持するための固定帯２を当該下カバー１２へ取着するための固定帯用フラップ１２１と、前記ポケット３を下カバー１２に固定するためのポケット用フラップ１２０を備える。また、下カバー１２の下面には、後記する付属品ケース５との係脱手段となる雄スナップが三箇所に配置してある。
【００２７】
固定帯２は、長手方向に伸縮可能なゴム紐材２０の両端に、固定帯側連結片を設けた構成である。固定帯側連結片２１には前記固定帯用フラップ１２１と係脱可能な雄面ファスナーを取着した構成である。固定帯側連結片２１には雄面ファスナーシート２２を設けてある。ゴム紐材２０は、固定帯側連結片２１と雄面ファスナーシート２２との間に挟持して縫着することで連結する。本実施例における固定帯側連結片２１には、貫通穴を形成してある。本実施例における一方の固定帯側連結片２１には円形輪郭の貫通穴、他方の固定帯側連結片２１には矩形輪郭の貫通穴を形成している。貫通穴は配線等のガイド穴として使用することができる。また、左右の貫通穴の形状を異なるものとすることで、固定帯２を逆向きに取付けることを防止できる。
【００２８】
固定帯用フラップ１２１は、固定帯用フラップ係合部１２１ａとこれに連続する固定帯用フラップ取着部１２１ｂを備えた構成で、下カバー１２の左右の側縁部に、対向して設けてある。固定帯用フラップ係合部１２１ａには、前記固定帯側連結片２１に形成される貫通穴に対応したフラップ貫通穴を設けてある。固定帯用フラップ取着部１２１ｂは可撓性を有し、下カバー１２における芯材に重着してある。そして該固定帯用フラップ取着部１２１ｂから連続する固定帯用フラップ係合部１２１ａは、下カバー１２の側面に起倒自在として設けられる。固定帯用フラップ係合部１２１ａの係合面には雌面ファスナーシート１２２を取着してある。
【００２９】
ポケット用フラップ１２０は、上記固定帯用フラップ１２１と近似した構成であり、ポケット用フラップ係合部１２０ａとこれに連続するポケット用フラップ取着部１２０ｂを備えた構成である。ポケット用フラップ取着部１２０ｂは可撓性を有し、下カバー１２における芯材に重着してある。そして該ポケット用フラップ取着部１２０ｂから連続するポケット用フラップ係合部１２０ａは、下カバー１２の側面に起倒自在として設けられる。ポケット用フラップ係合部１２０ａの係合面には雌面ファスナーシート１２３を取着してある。
【００３０】
固定帯２の両端の固定帯側連結片２１の雄面ファスナーシート２２の雄係合子と、左右一対となる固定帯用フラップ１２１の雌面ファスナーシート１２２の雌係合子とが係脱自在となる構成としてある。
【００３１】
ノート型情報処理装置Ｐの装置基体の前端部を被覆するためのポケット３は、組立て及び展開が可能なポケット３であり、ポケット基部３１と該ポケット基部３１から連続一体となるポケット蓋部３２と、前記ポケット基部３１及びポケット蓋部３２の間の左右側壁を形成するポケット側壁部３３とを備える。組立状態を保持するためポケット用フラップ１２０の雌面ファスナーシート１２３とポケット側壁部３３の雄面ファスナーシート３３０を係合してポケット３を固定する。ポケット側壁部３３はポケット蓋部３２の側部に一体として設けてある。ポケット３は基本的に、板状の芯材を合成皮革製シートによって被覆した構成である。
【００３２】
前記ポケット基部３１は、中央全体に亘って芯材及び合成皮革シートの基端側から切欠部分３５を形成し、該切欠部分３５にネット地シートを設けた構成としている。ネット地シートの縁部はポケット基部３１の芯材と合成皮革シートとの間に挟持した構成である。また、ポケット基部３１の左右位置には、ノート型情報処理装置Ｐの脚部（足ゴム）を逃すための逃し穴３４を設けてある。ポケット基部３１の基端３１０は、下カバー１２の内面に対して縫着してある。
【００３３】
ポケット蓋部３２は、ポケット基部３１の上端から谷折ラインを介して延設して設け、中央にノート型情報処理装置Ｐのタッチパッド等の操作部を露出させるための操作部露呈用穴３７を形成してある。また、ポケット基部３１からポケット蓋部３２にかけて連続して配線導出用穴を形成してある。
【００３４】
ポケット側壁部３３の外面には前記雄面ファスナーシート３３０を取着してある。該雄面ファスナーシート３３０と上記ポケット用フラップ１２０の雌面ファスナーシート１２３とを係合することによって、ポケット側壁部３３を固定する。
【００３５】
即ち、ポケット基部３１、ポケット蓋部３２、ポケット側壁部３３及びポケット用フラップ１２０によって袋状のポケット３が形成され、該ポケット３はポケット基部３１の基端のみが下カバー１２に縫着してあるので、図７に示すように、ポケット３の開口部３０の概ね下端位置を基準として、ポケット３の向きが一定範囲で揺動可能な状態となる。
【００３６】
前カバー１３には、前カバー１３の内面にネットを重合し、その三辺を縫合することで、小物を収納するための収納部を設けてある。本実施例では、ＵＳＢフラッシュメモリ、ＳＤカード、ＵＳＢ通信カード等の収納に好適な三種類の収納部１３０（第一収納部１３０ａ、第二収納部１３０ｂ、第三収納部１３０ｃ）を設けてある。
【００３７】
前カバー１３の上端には、該前カバー１３と同じ幅寸法でフラップ１４を延設してある。フラップ１４の内面には、上カバー１０との係脱手段となる止具片１４０（マグネットホック）を設けてある。
【００３８】
下カバー１２における後端には、第二谷折ライン１６を介して、前記前カバー１３と対向する後カバー１１を、前記下カバー１２と同じ幅寸法として設けてある。後カバー１１は、ノート型情報処理装置Ｐの後面を保護する。
【００３９】
更に、後カバー１１の上端から、第一谷折ライン１５を介して、後カバー１１と同じ幅寸法で、装置蓋部Ｐ２を保護するための上カバー１０を設けてある。上カバー１０の外面には、前記フラップ１４の止具片１４０と対応して一箇所に止具片１０１（マグネットホック）を配置し、後記付属品ケース５との係脱手段となる雄スナップが三箇所に配置してある。
【００４０】
以上の構成とした本実施例に係るノート型情報処理装置用ケース１は、図５に開放した状態で、収納対象となるノート型情報処理装置Ｐの装置本体Ｐ１の前端部をポケット３に差込み、固定帯２の固定帯側連結片２１を固定帯用フラップ１２１と係着することで、図６に示すように、ノート型情報処理装置Ｐを固定する。
【００４１】
この状態において、ノート型情報処理装置Ｐの使用が可能となる。また、併せて、前カバー１３の内面に設けた第一収納部１３０ａ、第二収納部１３０ｂ、第三収納部１３０ｃを利用することができる。
【００４２】
後カバー１１及び上カバー１０を折り畳み、ノート型情報処理装置Ｐの蓋体上に被せ、フラップ１４をその上から被せて、上カバー１０の止具片１０１とフラップ１４の止具片１４０を係着することで、図８に示すように、収納状態となる。
【００４３】
以上に示した実施例において、ポケット基部３１の切欠部分３５にネット状シート３６を設けたことによって、熱が溜まり易いポケット３について通気性を確保することで放熱性能を備えたものとし、使用状態のノート型情報処理装置Ｐの熱による性能低下を防止して安定した性能を確保することができる。
【００４４】
また、上記実施例において、左右側面はポケット用フラップ１２０及び固定帯用フラップ１２１を除き、収納したパソコンの側部が奥まった状態で開口しているので、ノート型情報処理装置を保護した上で、電源用ケーブルや小物等の着脱を可能とし、利便性を良好とすることができる。
【００４５】
本実施例に係るノート型情報処理装置用ケース１においては、前記したように、付属品を収納するための別体の付属品ケース５を着脱可能としてある。尚、付属品は、例えば、ＡＣアダプター（電源用ケーブル）、マウス、予備バッテリ等であるが、これに限るものではない。
【００４６】
付属品ケース５は、図９に示すように、スライドファスナーによる付属品ケース開閉部５２を備え且つ内部に収納空間５３を有する袋体５４と、該袋体５４の一側面の上端及び下端から可撓性を有する接続フラップ５０を突出した構成である。上下の接続フラップ５０の内面（上側の接続フラップ５０の下面、及び下側の接続フラップ５０の上面）には、前記実施例に係るノート型情報処理装置用ケース１の上カバー１０の外面及び下カバー１２の外面に設けた各三箇所の雄スナップ１００に対応する雌スナップ５１を設けてある。付属品ケース５の上下の接続フラップ５０の内面間の長さはノート型情報処理装置用ケース１の下カバー１２の外面から上カバー１０の外面までの高さ寸法よりやや大きく形成してある。
【００４７】
以上の付属品ケース５の上下の接続フラップ５０間に、ノート型情報処理装置Ｐの後端側を差込み、ノート型情報処理装置用ケース１の雌スナップ１００と付属品ケース５の雌スナップ５１とを係着することで、図１０に示すように、ノート型情報処理装置用ケース１に付属品ケース５を取着できる。
【００４８】
付属品ケース５の上下の接続フラップ５０に柔軟性を具備させたり、接続フラップ５０の基端に折線を形成させたりすることで、ノート型情報処理装置用ケース１に対して付属品ケース５を接続した状態（以下、単に接続状態という。）であっても、ノート型情報処理装置用ケース１を開放可能とすることができる。
【００４９】
また、その一方で、付属品ケース５の上下の接続フラップ５０を硬質なものとすることで、接続状態において、ノート型情報処理装置用ケース１の不用意な開放を阻止する構成とすることもできる。
【００５０】
また、本発明における第一谷折ライン１５、第二谷折ライン１６、第三谷折ライン１７、第四谷折ライン１８はケースの組立及び開放を容易とする効果があるが、必須構成ではなく、例えば本発明においては、これらの谷折ラインの位置のみ内部に板状の芯材を設けない構成とし、これら谷折ラインに相当する部分が柔軟に湾曲する構成とすることもできる。
【００５１】
付属品ケース５を併用することによって、例えば短時間の外出であればノート型情報処理装置Ｐ単体を本発明であるノート型情報処理装置用ケース１に収納して使用し、出張等の長期の外出にはＡＣアダプターやマウス等を付属品ケース５に収納して使用するといった利用方法が可能となる。
【００５２】
また、予め収納対象となるノート型情報処理装置Ｐが特定の仕様若しくは特定の機種のノート型情報処理装置Ｐに決定されている場合には、固定帯２のゴム紐材２０の外面に、隣接する位置にあるボタン類の表示部（例えば、電源スイッチを表示するマーク等）を付すことができる。本実施例では、固定帯側連結片に形成される貫通穴の形状を左右で変更してあるため、左右を逆にして固定帯を取付けることがないから、ボタン類の表示等の位置が誤った位置に配置されることを防止できる。
【００５３】
また、配線導出用穴や操作部露呈用穴３７等の切欠きやネット状シート３６を設ける位置についても、実施例の位置に限定されるものではなく、予め収納対象とするノート型情報処理装置Ｐに応じて必要な部分に適宜設けることができる。当該構成によって、実施例に示した左右側面以外の箇所についても電源用ケーブルや小物等の着脱を可能とし、利便性を向上できる。
【符号の説明】
【００５４】
Ｐ        ノート型情報処理装置
Ｐ１      装置本体
Ｐ２      装置蓋部
１        ノート型情報処理装置用ケース
１０      上カバー
１００    雄スナップ
１０１    止具片（マグネットホック）
１１      後カバー
１２      下カバー
１２０    ポケット用フラップ
１２０ａ  ポケット用フラップ係合部
１２０ｂ  ポケット用フラップ取着部
１２１    固定帯用フラップ
１２１ａ  固定帯用フラップ係合部
１２１ｂ  固定帯用フラップ取着部
１２２    雌面ファスナーシート
１２３    雌面ファスナーシート
１３      前カバー
１３０    収納部
１３０ａ  第一収納部
１３０ｂ  第二収納部
１３０ｃ  第三収納部
１４      フラップ
１４０    止具片（マグネットホック）
１５      第一谷折ライン
１６      第二谷折ライン
１７      第三谷折ライン
１８      第四谷折ライン
２        固定帯
２０      ゴム紐材
２１      固定帯側連結片
２２      雄面ファスナーシート
３        ポケット
３０      開口部
３１      ポケット基部
３１０    基端
３２      ポケット蓋部
３３      ポケット側壁部
３３０    雄面ファスナーシート
３４      逃し穴
３５      切欠部分
３６      ネット状シート
３７      操作部露呈用穴
５        付属品ケース
５０      接続フラップ
５１      雌スナップ
５２      付属品ケース開閉部
５３      収納空間
５４      袋体
【図１】
2010167127.tif 000003
【図２】
2010167127.tif 000004
【図３】
2010167127.tif 000005
【図４】
2010167127.tif 000006
【図５】
2010167127.tif 000007
【図６】
2010167127.tif 000008
【図７】
2010167127.tif 000009
【図８】
2010167127.tif 000010
【図９】
2010167127.tif 000011
【図１０】
2010167127.tif 000012